【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】  認識対象についての予測情報を記憶する記憶手段と、
前記予測情報に基づいて音声情報を認識する認識手段と、
音声情報の種類に関する知識を記憶する知識ベースと、
該知識ベースに記憶された知識を参照し、前記認識手段による先の認識対象の認識結果に基づいて、当該認識手段における次の認識対象となる音声情報について予測を行なう予測手段と、
該予測手段による予測結果に基づいて、前記記憶手段に記憶された予測情報を更新する更新手段とを有することを特徴とする情報処理装置。
【請求項２】  前記予測手段が、前記認識手段における次の認識対象となる情報の種類について予測することを特徴とする請求項１に記載の情報処理装置。
【請求項３】  前記認識手段により認識結果として得られた情報を解析する解析手段を有し、先の認識対象の認識結果を当該該解析手段により解析した結果に基づいて前記予測手段が予測を行なうことを特徴とする請求項１に記載の情報処理装置。
【請求項４】  前記認識手段が、認識結果として複数の候補を出力可能であり、前記予測手段は、先の認識対象の認識結果として複数の候補が出力された場合には、当該複数の候補のそれぞれに対する次の認識対象について予測することを特徴とする請求項１に記載の情報処理装置。
【請求項５】  前記予測手段は、次の認識対象として入力される可能性の高い候補を予測し、前記認識手段は、前記予測手段により入力される可能性が高いと予測された候補の中から認識結果を選出することを特徴とする請求項１に記載の情報処理装置。
【請求項６】  前記予測手段は、次の認識対象として入力される可能性の低い候補を予測し、前記認識手段は、前記予測手段により入力される可能性が低いと予測された候補を認識候補から除外することを特徴とする請求項１に記載の情報処理装置。
【請求項７】  前記認識手段による認識結果として得られた情報の妥当性を判断する判断手段を有することを特徴とする請求項１に記載の情報処理装置。
【請求項８】  前記予測手段が、前記判断手段による判断結果に基づいて予測を行なうことを特徴とする請求項７に記載の情報処理装置。
【請求項９】  前記判断手段による判断結果に基づいて、前記認識手段により認識結果として得られた情報を修正する修正手段を有することを特徴とする請求項７に記載の情報処理装置。
【請求項１０】  前記予測手段が、前記認識手段による認識結果に基づいて予測を行ない、前記修正手段による当該認識結果の修正結果に基づいて再度予測を行なうことを特徴とする請求項９に記載の情報処理装置。
【請求項１１】  音声情報を入力する入力手段と、
該入力手段より入力された音声情報の属性を判別する判別手段とを有し、
該判別手段の判別結果に基づいて、前記認識手段が特定の属性の音声情報を認識することを特徴とする請求項１に記載の情報処理装置。
【請求項１２】  前記判別手段は、前記音声情報が言語情報か非言語情報かを判別することを特徴とする請求項１１に記載の情報処理装置。
【請求項１３】  前記非言語情報は、笑い声を含むことを特徴とする請求項１２に記載の情報処理装置。
【請求項１４】  前記非言語情報は、電話の音または警報音を含むことを特徴とする請求項１２に記載の情報処理装置。
【請求項１５】  前記判別手段は、機械の音と人間の声とを判別することを特徴とする請求項１１に記載の情報処理装置。
【請求項１６】  前記判別手段は、周波数の違いに基づいて、機械の音と人間の声とを判別することを特徴とする請求項１５に記載の情報処理装置。
【請求項１７】  前記認識手段は、単語、音節、または音素を認識単位として自然言語の音声情報を認識することを特徴とする請求項１に記載の情報処理装置。
【請求項１８】  前記認識手段が音節または音素を認識単位とする場合、前記予測手段は、次の認識対象となる音節または音素を含む単語を予測し、当該予測された単語に基づいて、次の認識対象となる音節または音素を予測することを特徴とする請求項１７に記載の情報処理装置。
【請求項１９】  前記認識単位を以前の認識結果の良否に基づいて選択する選択手段を有することを特徴とする請求項１７に記載の情報処理装置。
【請求項２０】  前記知識ベースが、自然言語の情報における叙述の規則を含む言語知識を有することを特徴とした請求項１に記載の情報処理装置。
【請求項２１】  前記知識ベースが、ドメインに関する知識を有し、前記予測手段が、前記ドメインに関する知識に基づいて、特定のドメインに属する情報を次の認識対象となる音声情報として予測することを特徴とした請求項１に記載の情報処理装置。
【請求項２２】  前記認識手段による認識結果が処理命令である場合に、当該処理命令に対応する処理を実行する処理手段を備えたことを特徴とした請求項１に記載の情報処理装置。
【請求項２３】  前記予測手段は、先の動作に基づいて次の認識対象となる音声情報について予測を行なうことを特徴とした請求項１に記載の情報処理装置。
【請求項２４】  前記予測手段は、先の動作に基づいて次の動作を予測し、次の動作に基づいて次の認識対象となる音声情報について予測を行なうことを特徴とした請求項２３に記載の情報処理装置。
【請求項２５】  前記予測手段は、先の動作に基づいて次の動作が予測できない場合、特定の動作を次の動作として予測することを特徴とした請求項２３に記載の情報処理装置。
【請求項２６】  認識対象について記憶部に記憶された予測情報に基づいて音声情報を認識する認識工程と、
音声情報の種類に関する知識を記憶する知識ベースに記憶された知識を参照し、前記認識工程による先の認識対象の認識結果に基づいて、当該認識工程における次の認識対象となる音声情報について予測を行なう予測工程と、
該予測工程による予測結果に基づいて前記記憶部に記憶された予測情報を更新する更新工程とを有することを特徴とする情報処理方法。
【請求項２７】  認識対象について記憶部に記憶された予測情報に基づいて音声情報を認識する認識工程と、
音声情報の種類に関する知識を記憶する知識ベースに記憶された知識を参照し、前記認識工程による先の認識対象の認識結果に基づいて、当該認識工程における次の認識対象となる音声情報について予測を行なう予測工程と、
該予測工程による予測結果に基づいて前記記憶部に記憶された予測情報を更新する更新工程とを備えたことを特徴とするコンピュータ読み取り可能な情報処理プログラムを記憶した記憶媒体。
【手続補正２】
【補正対象書類名】明細書
【補正対象項目名】０００８
【補正方法】変更
【補正の内容】
【０００８】
【課題を解決するための手段】
上記課題を解決するために、本発明によれば、情報処理装置に、認識対象についての予測情報を記憶する記憶手段と、前記予測情報に基づいて音声情報を認識する認識手段と、音声情報の種類に関する知識を記憶する知識ベースと、該知識ベースに記憶された知識を参照し、前記認識手段による先の認識対象の認識結果に基づいて、当該認識手段における次の認識対象となる音声情報について予測を行なう予測手段と、該予測手段による予測結果に基づいて、前記記憶手段に記憶された予測情報を更新する更新手段とを備える。
【手続補正３】
【補正対象書類名】明細書
【補正対象項目名】０００９
【補正方法】変更
【補正の内容】
【０００９】
また、本発明の他の態様によれば、情報処理方法に、認識対象について記憶部に記憶された予測情報に基づいて音声情報を認識する認識工程と、音声情報の種類に関する知識を記憶する知識ベースに記憶された知識を参照し、前記認識工程による先の認識対象の認識結果に基づいて、当該認識工程における次の認識対象となる音声情報について予測を行なう予測工程と、該予測工程による予測結果に基づいて前記記憶部に記憶された予測情報を更新する更新工程とを備える。
【手続補正４】
【補正対象書類名】明細書
【補正対象項目名】００１０
【補正方法】変更
【補正の内容】
【００１０】
更に、本発明の他の態様によれば、記憶媒体に、認識対象について記憶部に記憶された予測情報に基づいて音声情報を認識する認識工程と、音声情報の種類に関する知識を記憶する知識ベースに記憶された知識を参照し、前記認識工程による先の認識対象の認識結果に基づいて、当該認識工程における次の認識対象となる音声情報について予測を行なう予測工程と、該予測工程による予測結果に基づいて前記記憶部に記憶された予測情報を更新する更新工程とを備えたことを特徴とするコンピュータ読み取り可能な情報処理プログラムを格納する。